(57)【特許請求の範囲】
【請求項１】
方形枠状に組まれたフレーム内にデッキプレートが配置され、該フレームとデッキプレートとが溶接で接合一体化されたデッキプレートパネルにおける前記フレームが鉄骨屋根梁にボルト等のネジ締結手段にて接合されることで、デッキプレートが屋根梁に固定されており、かつ、
デッキプレート上に配置された断熱材の上面に防水シートが配置され、この防水シートは、頭部を防水シートの上面側に位置させるようにデッキプレートに打ち込まれたビスと、該ビスの頭部と防水シートとの間に配置したパッキン付き座金とによって、前記断熱材に接着剤で接着されることなく固定されていることを特徴とする屋根の構造。
【請求項２】
前記デッキプレートパネルは、所定の単位平面寸法に設計されてモジュール化されている請求項１に記載の屋根の構造。
【請求項３】
屋根梁とデッキプレートパネルのフレームとのいずれか一方に差込み凸が設けられると共に、他方にこの差込み凸を差し込ませる差込み凹が設けられ、これら凹凸を嵌合させることで、デッキプレートパネルが屋根梁上の所定の配置位置に位置決め状態にセットされている請求項２に記載の屋根の構造。
【請求項４】
請求項１乃至３のいずれか一に記載の屋根の構造の解体方法であって、ビスを取り外して防水シートを断熱材から分離すること、ボルト等のネジ締結手段を取り外してデッキプレートパネルを屋根梁から分離すること、及び、断熱材をデッキプレートパネルから分離することを、相前後して行うことを特徴とする解体方法。
【発明の詳細な説明】
【０００１】
【発明の属する技術分野】
本発明は、屋根の構造、デッキプレートの施工方法及びデッキプレートパネルに関する。
【０００２】
【従来の技術】
例えば、屋根のシート防水工法（外断熱工法）として、図５に示すように、Ｈ形鋼などによる鉄骨の屋根梁５１にデッキプレート５２を取り付け、デッキプレート５２上に断熱材５３を敷き込み、断熱材５３の上に防水シート５４を施工するものがある。この工法では、屋根梁５１へのデッキプレート５２の取付けは、デッキプレート５２を建設現場で屋根梁５１に溶接Ｗするというようにして行われていた。また、防水シート５４の取付けは、防水シート５４を接着剤Ｂにて断熱材５３の上面に貼り付けるというようにして行われていた。なお、断熱材５３は、ビス５５にてデッキプレート５２に取り付けられていた。
【０００３】
【発明が解決しようとする課題】
しかしながら、屋根梁５１へのデッキプレート５２の取付けを溶接Ｗで行うやり方では、取付けに特殊技能が必要となり、専門工を用意しなければならないという問題があった。のみならず、建物の解体時に、屋根梁５１とデッキプレート５２とを容易には分離できず、解体作業が非常に厄介であると共に、屋根梁５１やデッキプレート５２を再使用可能に解体するのがほとんど困難で、廃棄するしかなく、資源の有効利用を果たせないという問題もあった。
【０００４】
また、防水シート５４は断熱材５３に接着剤Ｂにて貼り付けられているため、建物解体時に、断熱材５３と防水シート５４とをきれいに分離できず、断熱材５３の再使用が困難で、やはり廃棄することが多いという問題があった。
【０００５】
本発明は、上記のような問題点に鑑み、屋根梁へのデッキプレートの取付けを容易に行うことができ、しかも、建物解体時等において屋根梁とデッキプレートとを容易に分離でき、それらの再使用を図っていくことができる、屋根の構造、デッキプレートの施工方法及びデッキプレートパネルを提供することを課題とする。また、本発明は、建物の解体において、断熱材と防水シートとをきれいに分離でき、断熱材の再使用を図っていくことができる屋根の構造を提供することを課題とする。
【０００６】
【課題を解決するための手段】
上記の課題は、デッキプレートにフレームが一体的に接合され、このフレームが鉄骨屋根梁にボルト等のネジ締結手段にて接合されることで、デッキプレートが屋根梁に固定されており、かつ、
デッキプレート上に配置された断熱材の上面に防水シートが配置され、この防水シートは、デッキプレート又は断熱材に、ビス等のネジ締結手段にて固定されていることを特徴とする屋根の構造によって解決される。
【０００７】
この屋根構造では、屋根梁へのデッキプレートの取付けが、デッキプレートのフレームを屋根梁にボルト等のネジ締結手段にて接合することで達せられる構造であるから、建築現場でのデッキプレートの取付けに、溶接の場合のような特殊技能が不要で、デッキプレートの取付けを容易に行うことができる。なお、デッキプレートとフレームとの接合は、例えば、工場などにおいて、予め溶接などにより、接合一体化しておけばよい。
【０００８】
しかも、建物解体時には、屋根梁とフレームとを接合しているボルト等のネジ締結手段を取り外すことで、容易に、屋根梁とデッキプレートとを分離することができて解体が容易であり、加えて、屋根梁やデッキプレートを傷つけることもなくてそれらの再使用を図っていくことも可能となる。
【０００９】
また、防水シートは、これを、デッキプレート又は断熱材に、ビス等のネジ締結手段にて固定する構造となされているから、建物の解体においては、ビス等のネジ締結手段を取り外すことで、断熱材と防水シートとをきれいに分離でき、断熱材の再利用を図ることが可能となる。
【００１０】
特に、防水シートの取付けを、断熱材を介してデッキプレートにビス等のネジ締結手段にて固定する構造とするときは、防水シートを簡易な構造にて安定良くしっかりと固定することができる。
【００１１】
とりわけ、断熱材が、スチロール類などのような、それ自身、ネジ締結手段による取付けになじみにくいものであるような場合には、防水シートを、断熱材を介してデッキプレートに対してネジ締結手段にて固定する構造とするのがよい。そのような類の断熱材の場合はネジ締結手段を断熱材に貫通させるのも容易である。
【００１２】
上記の屋根構造において、フレームが、デッキプレートに一体的に接合されて、デッキプレートとともに屋根パネルを形成しており、この屋根パネルは、所定の単位平面寸法に設計されてモジュール化されており、この屋根パネルが屋根梁に固定されている構造である場合は、屋根パネルが規格化されて、建物相互間の互換性が確保されやすくなり、デッキプレートの再利用に大いに資する。
【００１３】
また、梁と屋根パネルのフレームとのいずれか一方に差込み凸が設けられると共に、他方にこの差込み凸を差し込ませる差込み凹が設けられ、これら凹凸を嵌合させることで、屋根パネルが屋根梁上の所定の配置位置に位置決め状態にセットされるものとなされている場合は、屋根梁への屋根パネルのセッティングを正確にしかも容易に行っていくことができる。
【００１４】
【発明の実施の形態】
次に、本発明の実施形態を図面に基づいて説明する。図１乃至図３に示す屋根の構造において、１は屋根梁、２は屋根パネル、３はスチロールなどのよる断熱材、４は防水シートである。
【００１５】
屋根梁１は、鉄骨造の建物などにおけるもので、例えば、図示のようなＨ形鋼などからなる。
【００１６】
屋根パネル２は、デッキプレート５にフレーム６を取り付けて構成されているもので、このデッキプレートパネル２は、例えば、溝形鋼よりなるフレーム構成材を方形枠状に組み合わせ、その中にデッキプレート５を割付し、デッキプレート５とフレーム６とを溶接などにより接合一体化したものからなる。この屋根パネル２の製作は、予め、工場などにおいて行われる。
【００１７】
そして、この屋根パネル２は、建物間の互換性確保などのため、所定の単位平面寸法に設計されてモジュール化されている。具体的には例えば、図１及び図２に示すように、縦横の寸法が（ｍ＊（モジュール））＊（ｎ＊（モジュール））の方形パネルに設計、製作される。
【００１８】
屋根の施工の手順に特段の制限はないが、例えば、次のようにして行われる。即ち、工場などにおいて予め断熱材３を、フレーム６やデッキプレート５にビス７等の接合手段にて接合して屋根パネル２に取り付けておくとよい。なお、防水性能を高める必要がある場合は、断熱材３の下に耐火野地板などを敷き込むようにしてもよい。建設現場では、上記の屋根パネル２を、ワイヤーなどで吊り上げ、図１及び図２に示すように、屋根梁１上にフレーム６を載せるようにセットする。
【００１９】
屋根パネル２のこのセッティング作業において、屋根パネル２を屋根梁１上の所定の適正な位置に位置決め状態にセットできるようにするため、図２及び図４（イ）に示すように、屋根梁１に、上方に突出するダボ８等の差込み凸を溶接等により取り付けておくと共に、屋根パネル２のフレーム６に、ダボ８を差し込ませるダボ孔９などの差込み凹を設けておくとよい。このダボ孔９にダボ８が差し込まれるように、屋根パネル２を屋根梁１上にセットするだけで、屋根パネル２は、屋根梁１上の所定の適正な位置に位置決め状態にセットされる。とりわけ、屋根面にある程度の傾斜が与えられているような場合には、これら差込み凹凸８，９同士の嵌合により、屋根パネル２を屋根梁１上にしっかりと位置決め状態に保持することができて、施工を容易に行うことができる。なお、ダボ８やダボ孔９等の差込み凹凸は、予め、工場などにおいて設けておけばよい。差込み用凸を屋根パネル２に設け、差込み凹を屋根梁１に設ける構成としてもよいことはいうまでもない。
【００２０】
こうして屋根梁１上に屋根パネル２をセットした後、屋根パネル２のフレーム６を、図１に示すように、屋根梁１にボルト１０等のネジ締結手段にて固定する。これにより、デッキプレート５は、屋根梁１に対してしっかりと取り付けられる。従来のようにデッキプレートを直接に屋根梁１に溶接で取り付けていた場合に比べ、屋根梁１に対するデッキプレートの取付けをきわめて容易に行うことができる。
【００２１】
しかる後、隣り合う屋根パネル２…間にゴムガスケット１１を押し込み、屋根下地面を一体化し、そして、断熱材３の上面に防水シート４を敷き込み、この防水シート４を、図４（ロ）に示すようなパッキン付き座金１２を用い、ビス１３等のネジ締結手段にて、断熱材３を介して屋根パネル２のデッキプレート５に螺合させ、固定する。
【００２２】
建物の解体時には、ビス１３を取り外せば、防水シート４と断熱材３とをきれいに分離することができる。また、ボルト１３を取り外せば、デッキプレートパネル２を屋根梁１からきれいに分離することができる。更に、ビス７を取り外せば、断熱材３をデッキプレートパネル２からきれいに分離することができる。従って、ボルト１０やビス７，１３等のネジ締結手段の取外しという簡単な作業で容易に解体を行っていくことができるのみならず、分離もきれいに行うことができて、デッキプレートパネル２や断熱材３等の再使用を図っていくことが可能となる。とりわけ、デッキプレートパネル２については、寸法的にモジュール化されているので、寸法調整など行うことなく、他の建物への再使用を便利に行っていくことができる。
【００２４】
【発明の効果】
上述の次第で、本発明は、上記のような構成を有するものであるから、屋根梁へのデッキプレートの取付けを容易に行うことができ、しかも、建物解体時等に屋根梁とデッキプレートとを容易に分離することができ、加えて、それらをきれいに分離できて、デッキプレート等の再使用を図っていくことができる。また、建物の解体において、断熱材と防水シートとをきれいに分離できて、断熱材の再使用を図っていくことができる。
【図面の簡単な説明】
【図１】屋根構造の実施形態を示すもので、図３のＩ−Ｉ線断面図である。
【図２】図３のＩＩ−ＩＩ線断面図である。
【図３】屋根構造の平面図である
【図４】図（イ）は屋根パネルと屋根梁との位置決め機構を示す断面図、図（ロ）は防水シート取付け用のネジ締結手段を示す側面図である。
【図５】図（イ）及び（ロ）はそれぞれ従来の屋根構造を示す断面図である。
【符号の説明】
１…屋根梁（取付け側）
２…屋根パネル（デッキプレートパネル）
３…断熱材
４…防水シート
５…デッキプレート
６…フレーム
１０…ボルト（ネジ締結手段）
１３…ビス（ネジ締結手段）
【図１】
0004191305.tif 000002
【図２】
0004191305.tif 000003
【図３】
0004191305.tif 000004
【図４】
0004191305.tif 000005
【図５】
0004191305.tif 000006